(57)【要約】      （修正有）【課題】蓄熱性能に応じて適正な熱量投入をすることができる蓄熱式床暖房システム及び蓄熱式床暖房システムの制御方法を提供すること。【解決手段】室内の目標温度を設定する温度設定部３１と、室内の測定温度を測定する温度測定部３２と、目標温度と測定温度とを比較し、測定温度から目標温度を引いた値を算出する比較部２１と、比較部２１により算出した、測定温度から目標温度を引いた値が、所定の閾値である熱媒体供給閾値よりも大きい場合には、所定時間すべてを熱媒体供給停止時間として設定する。【選択図】図１
2014009819.tif 000002
【特許請求の範囲】
【請求項１】
熱媒体によって加熱を行う熱媒体循環層、及び、少なくとも前記熱媒体循環層から放出される熱を蓄える蓄熱層を備える床と、
前記床が設けられる室内の目標温度Ｔ１を設定する温度設定手段と、
前記室内の測定温度Ｔ２を測定する温度測定手段と、
前記目標温度Ｔ１と前記測定温度Ｔ２とを比較し、前記測定温度Ｔ２から前記目標温度Ｔ１を引いた値Ｔ３が、熱媒体供給閾値よりも大きいか否かを判定する比較手段と、
所定の時間間隔で設定された一のサイクルにおける、熱媒体供給時間及び熱媒体供給停止時間を設定する供給時間設定手段と、
前記供給時間設定手段による設定に基づいて、前記熱媒体循環層に前記熱媒体を供給する熱媒体供給手段と、を備え、
前記供給時間設定手段は、前記比較手段により前記測定温度Ｔ２から前記目標温度Ｔ１を引いた値Ｔ３が、熱媒体供給閾値よりも大きいと判定された場合には、前記一のサイクル内において前記熱媒体供給時間を０としサイクル内の全ての時間を前記熱媒体供給停止時間として設定すること、
を特徴とする蓄熱式床暖房システム。
【請求項２】
前記供給時間設定手段は、
前記蓄熱層の蓄熱性能が高いほど前記熱媒体供給時間を短く設定し、前記熱媒体供給停止時間を長く設定すること、
を特徴とする請求項１に記載の蓄熱式床暖房システム。
【請求項３】
前記熱媒体供給閾値を設定する閾値設定手段を更に備え、
前記閾値設定手段は、
前記蓄熱層の蓄熱性能が高いほど前記熱媒体供給閾値を小さく設定すること、
を特徴とする請求項１又は２に記載の蓄熱式床暖房システム。
【請求項４】
前記熱媒体循環層に投入する熱量を設定する投入熱量設定手段を更に備え、
前記投入熱量設定手段は、
前記蓄熱層の蓄熱性能が高く、且つ、前記測定温度Ｔ２が低いほど前記投入熱量を多く設定し、
前記蓄熱層の蓄熱性能が低く、且つ、前記測定温度Ｔ２が高いほど前記投入熱量を少なく設定すること、
を特徴とする請求項１〜３の何れか一項記載の蓄熱式床暖房システム。
【請求項５】
蓄熱式床暖房システムの制御方法であって、
室内の目標温度Ｔ１を設定する温度設定ステップと、
前記室内の測定温度Ｔ２を測定する温度測定ステップと、
前記目標温度Ｔ１と前記測定温度Ｔ２とを比較し、前記測定温度Ｔ２から前記目標温度Ｔ１を引いた値Ｔ３が、熱媒体供給閾値よりも大きいか否かを判定する比較ステップと、
所定の時間間隔で設定された一のサイクルにおける、熱媒体供給時間及び熱媒体供給停止時間を設定する供給時間設定ステップと、
前記供給時間設定ステップにおける設定に基づいて、熱媒体によって加熱を行う熱媒体循環層に熱媒体を供給する熱媒体供給ステップと、を備え、
前記供給時間設定ステップにおいては、前記比較ステップにより前記測定温度Ｔ２から前記目標温度Ｔ１を引いた値Ｔ３が、熱媒体供給閾値よりも大きいと判定された場合には、前記一のサイクル内において前記熱媒体供給時間を０としサイクル内の全ての時間を前記熱媒体供給停止時間として設定すること、
を特徴とする蓄熱式床暖房システムの制御方法。
【発明の詳細な説明】
【技術分野】
【０００１】
本発明は、住宅の室内空間における蓄熱式床暖房システム及び蓄熱式床暖房システムの制御方法に関するものである。
【背景技術】
【０００２】
床暖房においては、室内側の放熱量を高めるために、床暖房パネルの下に断熱層を形成することが一般的であるが、このような構成においては、床暖房パネルへの温水の供給を止めた場合に床表面温度が急激に下がり、早朝などには部屋全体の温度が低下してしまうという問題があった。このため、床暖房パネルと断熱層との間に蓄熱層を介在させることで、温度の低下を抑える蓄熱式床暖房システムが知られている（例えば特許文献１参照）。
【先行技術文献】
【特許文献】
【０００３】
【特許文献１】特開平９−２７３７７５号公報
【発明の概要】
【発明が解決しようとする課題】
【０００４】
しかしながら、上述の蓄熱式床暖房システムにおいては、温水の供給時間を設定する制御部分の性能は、蓄熱式であることが考慮されていないものであった。蓄熱式床暖房システムは、蓄熱式でない床暖房システムと比較して温水などの熱媒体の供給を抑えることができるものであるが、制御部分の性能が蓄熱式であることを考慮していないものであった場合には、蓄熱式の床暖房システムにおいて必要である熱量を超えて、無駄な熱量が投入されていた。以上より、蓄熱性能に応じて適正な熱量投入をすることができる蓄熱式床暖房システム及び蓄熱式床暖房システムの制御方法が求められていた。
【０００５】
本発明は、このような課題を解決するためになされたものであり、蓄熱性能に応じて適正な熱量投入をすることができる蓄熱式床暖房システム及び蓄熱式床暖房システムの制御方法を提供することを目的とする。
【課題を解決するための手段】
【０００６】
本発明に係る蓄熱式床暖房システムは、熱媒体によって加熱を行う熱媒体循環層、及び、少なくとも熱媒体循環層から放出される熱を蓄える蓄熱層を備える床と、床が設けられる室内の目標温度Ｔ１を設定する温度設定手段と、室内の測定温度Ｔ２を測定する温度測定手段と、目標温度Ｔ１と測定温度Ｔ２とを比較し、測定温度Ｔ２から目標温度Ｔ１を引いた値Ｔ３が、熱媒体供給閾値よりも大きいか否かを判定する比較手段と、所定の時間間隔で設定された一のサイクルにおける、熱媒体供給時間及び熱媒体供給停止時間を設定する供給時間設定手段と、供給時間設定手段による設定に基づいて、熱媒体循環層に熱媒体を供給する熱媒体供給手段と、を備え、供給時間設定手段は、比較手段により測定温度Ｔ２から目標温度Ｔ１を引いた値Ｔ３が、熱媒体供給閾値よりも大きいと判定された場合には、一のサイクル内において熱媒体供給時間を０としサイクル内の全ての時間を熱媒体供給停止時間として設定すること、を特徴とする。
【０００７】
この蓄熱式床暖房システムでは、目標温度Ｔ１と測定温度Ｔ２とを比較することにより算出される値Ｔ３に基づいて、一サイクルにおける熱媒体供給時間を設定することができる。また、目標温度Ｔ１と測定温度Ｔ２とを比較することにより算出される値Ｔ３が所定の閾値である熱媒体供給閾値よりも大きい場合には、一サイクル中において熱媒体供給を行わないように制御することができる。熱媒体供給閾値として、一サイクル中であれば熱媒体供給を全停止するように制御しても蓄熱層に蓄熱された熱だけで設定温度を維持できる値に設定することにより、使用者が不快を感じることなく、一サイクル中の熱媒体供給を全停止することが可能となる。このように、一サイクル中の熱媒体供給を全停止するように制御することにより、無駄な熱量投入を抑制することができる。以上より、本発明に係る蓄熱式床暖房システムによれば、蓄熱性能に応じて適正な熱量投入をすることができる蓄熱式床暖房システムを提供することができる。
【０００８】
また、本発明に係る蓄熱式床暖房システムにおいて、供給時間設定手段は、蓄熱層の蓄熱性能が高いほど熱媒体供給時間を短く設定し、熱媒体供給停止時間を長く設定することが好ましい。蓄熱性能が高い場合は、温度の下がり方が遅いため、短い熱媒体供給時間であっても設定温度を維持することができる。従って、蓄熱性能が高いほど熱媒体供給時間を短く設定することで、無駄な熱量投入を抑制することができる。すなわち、蓄熱性能に応じて適正な熱量投入が行える。
【０００９】
また、本発明に係る蓄熱式床暖房システムにおいて、熱媒体供給閾値を設定する閾値設定手段を更に備え、閾値設定手段は、蓄熱層の蓄熱性能が高いほど熱媒体供給閾値を小さく設定することが好ましい。蓄熱性能が高い場合は、温度の下がり方が遅いため、熱媒体供給閾値を小さい値とした場合、すなわち測定温度Ｔ２から目標温度Ｔ１を引いた値Ｔ３が小さい場合に熱媒体供給を行わないように制御しても、設定温度を維持することができる。従って、蓄熱性能が高いほど熱媒体供給閾値を小さくすることで、無駄な熱量投入を抑制することができる。すなわち、蓄熱性能に応じて適正な熱量投入が行える。
【００１０】
また、本発明に係る蓄熱式床暖房システムにおいて、熱媒体循環層に投入する熱量を設定する投入熱量設定手段を更に備え、投入熱量設定手段は、蓄熱層の蓄熱性能が高く、且つ、測定温度Ｔ２が低いほど投入熱量を多く設定し、蓄熱層の蓄熱性能が低く、且つ、測定温度Ｔ２が高いほど投入熱量を少なく設定することが好ましい。蓄熱式床暖房システムの起動時に必要となる投入熱量は、蓄熱層の蓄熱性能が高く測定温度Ｔ２が低いほど多く必要となるところ、そのような蓄熱性能及び測定温度Ｔ２に応じて適正に熱量投入を行うことができる。
【００１１】
また、本発明に係る蓄熱式床暖房システムの制御方法は、室内の目標温度Ｔ１を設定する温度設定ステップと、室内の測定温度Ｔ２を測定する温度測定ステップと、目標温度Ｔ１と測定温度Ｔ２とを比較し、測定温度Ｔ２から目標温度Ｔ１を引いた値Ｔ３が、熱媒体供給閾値よりも大きいか否かを判定する比較ステップと、所定の時間間隔で設定された一のサイクルにおける、熱媒体供給時間及び熱媒体供給停止時間を設定する供給時間設定ステップと、供給時間設定ステップにおける設定に基づいて、熱媒体によって加熱を行う熱媒体循環層に熱媒体を供給する熱媒体供給ステップと、を備え、供給時間設定ステップにおいては、比較ステップにより測定温度Ｔ２から目標温度Ｔ１を引いた値Ｔ３が、熱媒体供給閾値よりも大きいと判定された場合には、一のサイクル内において熱媒体供給時間を０としサイクル内の全ての時間を熱媒体供給停止時間として設定すること、を特徴とする。この蓄熱式床暖房システムの制御方法は、上述の蓄熱式床暖房システムと同様な効果を奏することができる。
【発明の効果】
【００１２】
本発明によれば、蓄熱性能に応じて適正な熱量投入をすることができる蓄熱式床暖房システム及び蓄熱式床暖房システムの制御方法を提供することができる。
【図面の簡単な説明】
【００１３】
【図１】本発明の実施形態に係る蓄熱式床暖房システムの概略構成図である。
【図２】本発明の実施形態に係る蓄熱式床暖房システムの制御処理内容を示すフローチャートである。
【図３】本発明の実施形態に係る蓄熱式床暖房システムのサイクル運転イメージである。
【発明を実施するための形態】
【００１４】
以下、図面を参照して蓄熱式床暖房システムの実施形態について説明する。
【００１５】
図１は本発明の実施形態に係る蓄熱式床暖房システムの概略構成図である。図１に示すように、本実施形態に係る蓄熱式床暖房システム１は、床１０と、システム全体の制御を行う制御部２０と、室内空間の目標温度を設定する温度設定部３１と、室内空間の温度を測定する温度測定部３２と、暖房用水を供給する暖房用水器４１と、を備えている。
【００１６】
床１０は、暖房用水（熱媒体）を流通させるものであり、床暖房の機能を備えたものである。床１０は、床仕上層１１と、床暖房パネル１２と、ＡＬＣパネル１３と、断熱層１４と、を備えている。
【００１７】
床仕上層１１は、使用者が足元から熱を直接感じ取る床仕上げ材である。床仕上層１１として、寄木等からなる木質フローリングや、床暖房用畳、ビニル床などが用いられる。
【００１８】
床暖房パネル１２は、床仕上層１１の下部に設置されており、熱媒体によって床仕上層１１を加熱する熱媒体循環層である。床暖房パネル１２は配管を備えており、当該配管を流れる熱媒体の効果によって放熱し、床仕上層１１を暖めるとともに室内を暖める。床暖房パネル１２には床仕上層１１と分離しているものと、床仕上層１１と一体化しているものと、がある。また、熱媒体には、例えば温水が用いられる。
【００１９】
ＡＬＣ（Ａｕｔｏｃｌａｖｅｄ  Ｌｉｇｈｔ  ｗｅｉｇｈｔ  Ｃｏｎｃｒｅｔｅ）パネル１３は、床暖房パネル１２の下部に設置されており、床暖房パネル１２から放出される熱を蓄える蓄熱層である。ＡＬＣパネル１３は、床暖房パネル１２に熱媒体が供給されなくなった後、すなわち床暖房パネル１２からの放熱が抑えられたときに、蓄えた熱を室内側に供給することによって、床表面温度の下がり方を遅くする。また、ＡＬＣパネル１３は、日射の熱を蓄えることもできる。なお、ＡＬＣとは軽量気泡コンクリートのことであり、重量が軽く断熱性も高いコンクリートである。なお、ＡＬＣパネルの他、コンクリートスラブなども蓄熱層として適用可能である。
【００２０】
断熱層１４は、ＡＬＣパネル１３の下部に設置されており、ＡＬＣパネル１３の下側への放熱を大幅に減少するものである。断熱層１４がＡＬＣパネル１３の下側への放熱を減少させることにより熱効率が向上し、省エネルギー化が図られる。断熱層１４には、鉱物系断熱材、プラスチック系断熱材などが適しており、例えばフェノールフォーム、グラスウール、ロックウール、硬質ウレタンフォームなどが挙げられる。
【００２１】
制御部２０は、蓄熱式床暖房システム１の制御を行う電子制御ユニットであり、例えばＣＰＵを主体として構成され、ＲＯＭ、ＲＡＭ、入力信号回路、出力信号回路、電源回路などを備えている。
【００２２】
制御部２０は、比較部２１と、供給時間設定部２２と、閾値設定部２３と、投入熱量設定部２４と、を有している。
【００２３】
比較部２１は、一定の時間間隔で、温度設定部３１が設定した目標温度Ｔ１と温度測定部が測定した測定温度Ｔ２とを比較する比較手段であり、測定温度Ｔ２から目標温度Ｔ１を引いた値Ｔ３が、熱媒体供給閾値よりも大きいか否かを判定する機能を有する。
【００２４】
供給時間設定部２２は、所定の時間間隔で設定された一のサイクルにおける、熱媒体供給時間及び熱媒体供給停止時間を設定する供給時間設定手段としての機能を有する。ここで、一サイクルは例えば２０分のように決まっており、暖房用水器４１により熱媒体が供給される時間である熱媒体供給時間と、熱媒体の供給が停止される時間である熱媒体供給停止時間と、からなる。蓄熱式床暖房システム１が稼働されている間は当該サイクルが繰り返される。供給時間設定部２２による熱媒体供給時間及び熱媒体供給停止時間の設定は、熱媒体供給時間及び熱媒体供給停止時間の組みあわせが決まっている複数の熱媒体供給制御パターンから適切なパターンが選択されることにより行われる。例えば、所定の時間（一サイクル）が２０分と設定されている場合であれば、パターン１：熱媒体供給時間（８分）熱媒体供給停止時間（１２分）、パターン２：熱媒体供給時間（１０分）熱媒体供給停止時間（１０分）、のように設定される。供給時間設定部２２は、比較部２１により算出した、測定温度Ｔ２から目標温度Ｔ１を引いた値Ｔ３が大きいほど、一サイクルにおける熱媒体供給時間を短く設定し、熱媒体供給停止時間を長く設定する機能を有する。例えば、供給時間設定部２２は、値Ｔ３が大きいほど、熱媒体供給時間の短いパターンを選択する。
【００２５】
また、供給時間設定部２２は、比較部２１により算出した、測定温度Ｔ２から目標温度Ｔ１を引いた値Ｔ３が熱媒体供給閾値よりも大きい場合には、所定時間内において熱媒体供給時間を設定せず、所定時間すべてを熱媒体供給停止時間として設定するパターン（パターン０）を選択する機能を有する。
【００２６】
また、供給時間設定部２２は、ＡＬＣパネル１３の蓄熱性能が高いほど、熱媒体供給時間を短く設定し、熱媒体供給停止時間を長く設定する機能を有する。
【００２７】
閾値設定部２３は、熱媒体供給閾値を設定する閾値設定手段としての機能を有する。熱媒体供給閾値とは、一サイクル中の熱媒体供給を全停止するか否かを決定する値である。ここで、熱媒体供給閾値として、一サイクル中であれば熱媒体供給を全停止してもＡＬＣパネル１３に蓄熱された熱だけで設定温度を維持できる値に設定することが好ましい。熱媒体供給閾値は、例えば１．０℃〜２．２℃に設定することが好ましく、２．４℃に設定することがより好ましい。また、閾値設定部２３は、蓄熱層であるＡＬＣパネル１３の蓄熱性能が高いほど熱媒体供給閾値を小さく設定することが好ましい。
【００２８】
投入熱量設定部２４は、暖房用水器４１によって床暖房パネル１２に供給される熱媒体の熱量を設定する投入熱量設定手段としての機能を有する。投入される熱量は、各種条件に基づいて設定可能であるが、例えば、ＡＬＣパネル１３の蓄熱性能や測定温度Ｔ２に応じて設定投入熱量を設定することができる。本実施形態に係る蓄熱式床暖房システム１の起動時には、冷えた床１０を速やかに温めるために、連続的に床暖房パネル１２に熱媒体を供給する制御を行うことが可能であるが、投入熱量設定部２４は、その際の投入熱量をＡＬＣパネル１３の蓄熱性能及び測定温度Ｔ２に応じて設定できる。具体的には、ＡＬＣパネル１３の蓄熱性能が高く測定温度Ｔ２が低いほど投入熱量は多く設定され、蓄熱層の蓄熱性能が低く測定温度Ｔ２が高いほど投入熱量は少なく設定される。投入熱量設定部２４は、熱媒体の流量及び温度を調節することで熱量を設定することができる。
【００２９】
温度設定部３１は、室内の目標温度Ｔ１を設定する温度設定手段としての機能を有する。温度設定部３１は、温度設定リモコン３１ａと温度設定装置３１ｂとからなる。使用者が温度設定リモコン３１ａを操作して目標温度Ｔ１を選択し、信号を送信し、屋内の壁などに設置された温度設定装置３１ｂが信号を受信して目標温度Ｔ１が設定される。温度設定部３１は、設定した目標温度Ｔ１を制御部２０に送信する。
【００３０】
温度測定部３２は、温度センサにより室内の測定温度Ｔ２を測定する温度測定手段としての機能を有する。温度測定部３２は、測定した測定温度Ｔ２を制御部２０に送信する。
【００３１】
暖房用水器４１は、投入熱量設定部２４からの設定内容に基づいて床暖房パネル１２の配管に熱媒体を供給する熱媒体供給手段としての機能を有する。暖房用水器４１はガス給湯器であり、例えば高効率熱源機やヒートポンプを用いることができる。
【００３２】
次に、図２を参照して、本発明の実施形態に係る蓄熱式床暖房システム１の動作について説明する。図２は、本発明の実施形態に係る蓄熱式床暖房システム１の制御処理内容を示すフローチャートである。なお、図２に示す制御処理が開始される前段階で、閾値設定部２３による熱媒体供給閾値と投入熱量設定部２４による投入熱量の設定は完了している必要がある。
【００３３】
図２に示すように、最初に、温度設定部３１は室内の目標温度Ｔ１を設定する（ステップＳ１０、温度設定ステップ）。設定する目標温度Ｔ１は、使用者が温度設定リモコン３１ａにより指定した内容に従って決められる。次に、温度測定部３２が室内の測定温度Ｔ２を測定する（ステップＳ１１、温度測定ステップ）。
【００３４】
次に、比較部２１により、温度設定部３１が設定した目標温度Ｔ１と温度測定部３２が測定した室内の測定温度Ｔ２が比較される（ステップＳ１２、比較ステップ）。比較部２１は、測定温度Ｔ２から目標温度Ｔ１を引いた値Ｔ３を算出する。
【００３５】
供給時間設定部２２は、Ｓ１２における比較の結果、測定温度Ｔ２から目標温度Ｔ１を引いた値Ｔ３が熱媒体供給閾値である２．４℃よりも大きいか否かの判断を行う（ステップＳ１３、供給時間設定ステップ）。当該比較の結果、「測定温度Ｔ２−目標温度Ｔ１＝値Ｔ３」が２．４℃よりも大きいと判断された場合には、供給時間設定部２２は、一サイクル中における熱媒体供給時間を設定しない「パターン０」を選択する（ステップＳ１４、供給時間設定ステップ）。「パターン０」が設定されたサイクル内においては、熱媒体供給はされないため、蓄熱式床暖房システム１の制御処理は終了する。
【００３６】
一方で、ステップＳ１３における比較の結果、「測定温度Ｔ２−目標温度Ｔ１＝値Ｔ３」が２．４℃以下であると判断された場合には、供給時間設定部２２は、複数のパターンから熱媒体供給時間が設定されないパターンである「パターン０」以外のパターンを選択する（ステップＳ１５、供給時間設定ステップ）。この場合に選択されるパターンは、「測定温度Ｔ２−目標温度Ｔ１＝値Ｔ３」に基づいて、当該値Ｔ３が小さい程、熱媒体供給時間を長くするパターンが設定される。
【００３７】
Ｓ１５において、「パターン０」以外のパターンが設定された場合には熱媒体の供給が必要となるため、暖房用水器４１はＳ１５において供給時間設定部２２が設定したパターンの熱媒体供給時間に従って熱媒体を供給する（ステップＳ１６、熱媒体供給ステップ）。以上が蓄熱式床暖房システム１の制御処理内容である。なお、当該制御処理は、繰り返し実施される。
【００３８】
次に、図３を参照して、蓄熱式床暖房システムのサイクル運転について説明する。図３は、本発明の実施形態に係る蓄熱式床暖房システムのサイクル運転イメージである。
【００３９】
例えば、蓄熱式床暖房システム１の一サイクルが２０分であり、熱媒体供給制御パターンとして、パターン１：熱媒体供給時間（８分）熱媒体供給停止時間（１２分）、パターン２：熱媒体供給時間（１０分）熱媒体供給停止時間（１０分）、パターン０：熱媒体供給時間（０分）熱媒体供給停止時間（２０分）が設定されているとする。当初、「測定温度Ｔ２−目標温度Ｔ１＝値Ｔ３」が比較的小さく、供給時間設定部２２により、サイクルＡではパターン２が選択されている。そして、サイクルＢのパターンを決定する際の「測定温度Ｔ２−目標温度Ｔ１＝値Ｔ３」が前回よりも大きくなっており、サイクルＢではパターン１が選択されている。そして、サイクルＣのパターンを決定する際の「測定温度Ｔ２−目標温度Ｔ１＝値Ｔ３」が熱媒体供給閾値（２．４℃）よりも大きかったことから、サイクルＣではパターン０が選択されている。このように、各サイクル毎に測定温度Ｔ２−目標温度Ｔ１を比較することで、最適な熱媒体供給制御パターンを選択する。なお、パターン０が選択され続けた場合には、熱媒体供給が止まった状態（熱媒体供給時間が０分）のサイクルが続くこととなる。
【００４０】
次に本発明の実施形態に係る蓄熱式床暖房システム１の作用・効果について説明する。
【００４１】
この蓄熱式床暖房システム１では、比較部２１が目標温度Ｔ１と測定温度Ｔ２とを比較することにより算出される値Ｔ３に基づいて、一サイクルにおける熱媒体供給時間を設定することができる。また、目標温度Ｔ１と測定温度Ｔ２とを比較することにより算出される値Ｔ３が所定の閾値である熱媒体供給閾値よりも大きい場合には、一サイクル中において熱媒体供給を行わないように制御することができる。本実施形態では、熱媒体供給閾値は、一サイクル中であれば熱媒体供給を全停止するように制御してもＡＬＣパネル１３に蓄熱された熱だけで設定温度を維持できる値に設定されているため、使用者が不快を感じることなく、一サイクル中の熱媒体供給を全停止するように制御できる。一サイクル中の熱媒体供給を全停止するように制御することにより、必要となる熱量を超えた無駄な熱量投入抑制することができる。
【００４２】
また、供給時間設定部２２が、ＡＬＣパネル１３の蓄熱性能が高いほど熱媒体供給時間を短く設定し、熱媒体供給停止時間を長く設定することにより、無駄な熱量投入を抑制することができ、蓄熱性能に応じた適正な熱量投入を行うことができる。
【００４３】
また、熱媒体供給閾値を設定する閾値設定部２３を更に備え、閾値設定部２３が、ＡＬＣパネル１３の蓄熱性能が高いほど熱媒体供給閾値を小さく設定することで、より無駄な熱量投入を防止することができる。
【００４４】
また、床暖房パネル１２に投入する熱量を設定する投入熱量設定部２４を更に備え、投入熱量設定部２４は、ＡＬＣパネル１３の蓄熱性能が高く、且つ、測定温度Ｔ２が低いほど投入熱量を多く設定し、ＡＬＣパネル１３の蓄熱性能が低く、且つ、測定温度Ｔ２が高いほど投入熱量を少なく設定することにより、蓄熱性能及び測定温度Ｔ２に応じて適正な熱量投入を行うことができる。
【００４５】
以下、本発明の実施例について説明する。なお、本発明はこれらの実施例に限定されるものではない。
【００４６】
[実施例１]
実施例である床１０は、床暖房パネル１２の裏面にＡＬＣパネル１３を敷設し、その下に断熱機能を持つ材料（発砲リスチレンフォーム）を敷設した。一方で、比較例である床１０は、床暖房パネル１２の裏面に断熱機能を持つ材料（発砲リスチレンフォーム）を敷設した。室温が２０℃になるように制御機器の設定を行った。比較例では、起動時の高温の運転時間（ホットダッシュ時間）を６０分とした。その際の暖房用水器４１の熱媒体の温度は８０℃に設定した。比較例では、測定温度Ｔ２から目標温度Ｔ１を引いた値Ｔ３に応じて熱媒体供給制御パターンを選択するように制御し、最も熱媒体供給時間が短いパターンとして、「パターン１（熱媒体供給時間８分）」を設定した。その際の暖房用水器４１の熱媒体の温度は４０℃に設定した。実施例では、起動時の高温の運転時間（ホットダッシュ時間）を３０分とした。また、比較例において選択可能なパターンに加えて、測定温度Ｔ２から目標温度Ｔ１を引いた値Ｔ３が３℃を超えた場合には一サイクルの熱媒体供給を全停止する制御（「パターン０」を選択）を行った。その他の条件は比較例と同様である。
【００４７】
実施例、比較例、ともに一日のうち６−９時と１７−２４時に床暖房を運転し、これを一週間続け、総投入熱量と、室温、床表面温度を比較した。その結果、室温、床表面温度とも実施例（ＡＬＣパネル１３あり）が比較例（ＡＬＣパネル１３なし）に比べて高い水準を保った。さらに、総投入熱量は実施例（ＡＬＣパネル１３あり）が比較例（ＡＬＣパネル１３なし）に比べて１３％低かった。
【００４８】
[実施例２]
実施例である床１０及び比較例である床１０はともに、床暖房パネル１２の裏面にＡＬＣパネル１３を敷設し、その下に断熱機能を持つ材料（発砲リスチレンフォーム）を敷設した。実施例である床１０は、起動時のホットダッシュ時間を３０分、サイクル運転の間隔を２０分とし、一サイクルにおいて熱媒体供給を行わないように制御する（パターン０）熱媒体供給閾値（２．４℃）を設けた。一方で、比較例である床１０は、起動時のホットダッシュ時間を６０分、サイクル運転の間隔を２０分とし、一サイクルにおいて熱媒体供給を行わないように制御する熱媒体供給閾値を設けず、最低でも熱媒体供給時間を８分（パターン１）確保した。
【００４９】
実施例、比較例、ともに１月〜３月の期間の投入熱量を比べた。その結果、上記期間全体の積算投入熱量はそれぞれ、実施例で３７５３．７ＭＪ、比較例で５３６９．４ＭＪとなった。実施例では、比較例と比べて総投入熱量を３４％減らすことができることがわかった。
【符号の説明】
【００５０】
１…蓄熱式床暖房システム、１０…床、１１…床仕上層、１２…床暖房パネル、１３…ＡＬＣパネル、１４…断熱層、２０…制御部、２１…比較部、２２…供給時間設定部、２３…閾値設定部、２４…投入熱量設定部、３１…温度設定部、３２…温度測定部、４１…暖房用水器。
【図１】
2014009819.tif 000003
【図２】
2014009819.tif 000004
【図３】
2014009819.tif 000005